(57)【要約】      （修正有）【課題】起立し又は椅子に腰を掛けた状態で全身の所望箇所の映像を容易に視認できる人物用多面鏡を提供する。【解決手段】床上に起立状態にある平面鏡に対向して中空位置に三面鏡を支持してあり、三面鏡は中央の平面鏡２の左右両側に接続角度可変の平面鏡３、４を内側に向けて接続したものであり、使用者が平面鏡と三面鏡との間に位置して両者に交互に対面し、電動機による回転運動を所定範囲で直線運動ならびに傾斜運動に変換して三面鏡の上下位置と前傾姿勢の制御をおこなえば、平面鏡と三面鏡内の各平面鏡２、３、４いずれかの平面鏡内で所望箇所の映像を視認することができる。なお、三面鏡が床面移動自在の基盤５や壁面の構造材に固定した基盤５や天井の構造材に固定した基盤５のいずれかと一体の位置・姿勢制御具収納部６で支持されていると室内空間が有効に使用できる。【選択図】図１
0003146443.tif 000002
【実用新案登録請求の範囲】
【請求項１】
三面鏡として中央の平鏡面（２）の左右両側に所定角度で平面鏡（３）、（４）を内側に向けて接続し、接続後の角度変更を可能にしてあり、さらに電動機による回転運動を直線運動ならびに傾斜運動に変換することを利用して所定範囲の上下移動と前方への傾斜移動ができるようしてあるものを、床上に起立してある平面鏡（１）に対向する中空位置に支持してある人物用多面鏡。
【請求項２】
三面鏡が床面移動自在の基盤（５）や壁面の構造材に固定した基盤（５）あるいは天井の構造材に固定した基盤（５）のいずれかと一体の三面鏡の位置・姿勢制御具収納部（６）で支持されている請求項１記載の人物用多面鏡。
【考案の詳細な説明】
【技術分野】
【０００１】
本考案は使用者が居ながらにして自己の「所望箇所」の映像を視認することができる操作容易な人物用多面鏡に関する。
【背景技術】
【０００２】
従来、頭部の背面や側面を見るため、手鏡を使用したり、市販の三面鏡が使用されているが、限られた範囲しか視認できず、満足すべきものではない。従来、工夫されたものとして、特許文献１には姿見に着衣の背面を向け、前面に保持した小型鏡に背面のみが写るようにしたものや、後頭部辺のみが写るようにしたものもあるが、それだけでは足りず、また、上下方向の三面鏡の下面の鏡で頭頂部を見るようにした特許文献２もあるが、下面の鏡面に人体を載せるので破損のおそれがある。そのほかにも特許文献３や特許文献４に合わせ鏡の工夫が見られるが、補助者を介して希望部位を視認するので、煩雑なものである。これらに鑑み本考案者は、さきに特許文献５において、正面の平面鏡と三面鏡とを組合せたものを提案したが、三面鏡は上下位置や姿勢が固定されたものなので映像が限定され、そのままでは個人差に対応できず、汎用性がない。
【０００３】
【特許文献１】公開実用新案昭６３−１１５３７０
【特許文献２】実開平７−２８４６７
【特許文献３】実用明細書第８９２１号
【特許文献４】実開昭４９−２４５００号
【特許文献５】実用新案登録第３１１５８０８号
【考案の開示】
【考案が解決しようとする課題】
【０００４】
本考案は起立し又は椅子に腰を掛けた状態で全身の所望箇所の映像を居ながらにして視認することができるようにした人物用多面鏡を提供せんとするものである。
【課題を解決するための手段】
【０００５】
ここにおいて本考案者は、三面鏡として中央の平面鏡２の左右両側に所定角度で平面鏡３、４を内側に向けて接続し、接続後の角度変更を可能にしてあり、さらに電動機による回転運動を直線運動ならびに傾斜運動に変換することを利用して所定範囲の上下移動と前方への傾斜移動ができるようにしてあるものを、床上に起立状態にしてある平面鏡に対向する中空位置に支持してある人物用多面鏡を見出し、さらに三面鏡が床面移動自在の基盤５や壁面の構造材に固定した基盤５あるいは天井の構造材に固定した基盤５のいずれかと一体の三面鏡の位置・姿勢制御具収納部６で支持されていると室内空間の利用上好都合であることを見出すに至った。
【考案の効果】
【０００６】
本考案の人物用多面鏡を使用する場合、使用者は床上に起立の平面鏡１および移動可能な三面鏡のいずれかに対面して、平面鏡１と三面鏡との間の床上に起立し又は椅子に腰を掛け、当初か途中で三面鏡内の接続角度を所定範囲内で適宜に設定してから、身長に合わせて三面鏡の上下位置を調節し、さらに、三面鏡の好適な角度を選択して三面鏡を所定範囲内で前傾させると全身の所望箇所の映像が得られるので、美容や着衣の工夫がしやすく、本考案の人物用多面鏡の使用が楽しくなる。また、三面鏡の室内での支持位置を予め選択できるので、室内空間の利用が有効にできる。
【考案を実施するための最良の形態】
【０００７】
本考案で使用する床上に起立の平面鏡１や三面鏡の形状と相互の位置関係等の標準的な場合について以下に述べる。すなわち、平面鏡１は方形にし直立か安全面の点でら後傾５度位に設置するのが望ましく、三面鏡の中央の平鏡面２は初期位置で直立とするが、その形状は使用上方形に近い等脚台形が好ましく、三面鏡の両側の平鏡面３、４もそれに準ずる形状にしたほうが好ましい。三面鏡の中央の平鏡面１と両側の平鏡面３、４との接続にはトルクヒンジを介して接続角度を可変にして、平鏡面２と平鏡面３、４とは開度が１４０度〜１６０度になるようにしておく。そのうえで、三面鏡の下辺の床上高さを１１５０ｍｍ、上方への移動幅を６５０ｍｍ、最大前傾角度が２５度になるようにしておく。なお、床上の平鏡面１と三面鏡との間隔は１４００ｍｍとする。
【０００８】
三面鏡の支持に関しては室内空間の使用目的に応じて、床面移動自在の基盤５あるいは壁面の構造材に固定した基盤５ならびに天井の構造材に固定した基盤５のいずれかと一体の三面鏡の位置・姿勢制具収納部６に支持を委ねると空間の有効利用をはかることができる。
【０００９】
なお、三面鏡の高さ位置と傾斜姿勢の制御手段について述べれば、周知の電動機による回転運動を直線運動ならびに傾斜運動に変換することを利用しておこなわれる。三面鏡の位置・姿勢制御具収納部６には電力を供給しておき、上下と傾斜の２系統の動作に関与する各直流モーターの正逆回転の起動と停止を遠隔操作によりおこない、たとえば、スピンドル（雄ねじ棒）の回転で雌ねじ部材を上下させ、またその上下動でシーソー部材の一端を上下させ、他端に三面鏡の支持フレームを直交させて当該支持フレームの傾斜角度を変更することができる。なお、本考案においてこれらの構成部材を内蔵するものを三面鏡の位置・姿勢制御具収納部６と指称する。
【００１０】
本考案の人物用多面鏡面に使用する平面鏡は板硝子や金属板（研磨ステンレス・アルミニウム）や、反射薄膜被覆プラスチック等を素材として、鏡面枠に嵌めて使用することができる。
【実施例１】
【００１１】
以下、好適な本考案の実施例における各種平面鏡の形状等について具体的に述べる。床面に起立の平面鏡１は幅１２００ｍｍ、高さ２２００ｍｍのものを使用する。三面鏡の中央の平鏡面２は初期位置で直立とし、その形状は等脚台形（上底４００ｍｍ、下底５５０ｍｍ、斜辺５５０ｍｍ）としてあり、三面鏡の両側の平鏡面３、４も等脚台形（上底４００ｍｍ、下底４８０ｍｍ、斜辺５５０ｍｍ、）にしてある。平鏡面２に両側の平鏡面３、４をそれぞれ接合し、平鏡面２との開度を１４０度〜１６０度に設定してあり、三面鏡の最大傾斜度が２５度になるようにしてある。
【００１２】
つぎに、実施例により身体各部の映像がどのように得られるか、具体的に述べておく。人物が平面鏡１と三面鏡の間に起立してのものである。身長による調節を済ませ、三面鏡の接続角度の調節を最初および途中でおこない、鏡面の映像を確認しながら三面鏡を所定範囲内で傾斜すれば各種の有用な映像が得られる。すなわち、床上の平面鏡１と対面した場合、その平面鏡１の中央に「全身の正面像」が、それより上方に「背面と左右両側面の上半身像」が得られ、さらに、三面鏡と対面した場合は、三面鏡の中央の平面鏡２に「正面全身像」が、左右の平面鏡３、４にそれぞれ「背面の全身像」が得られ、右側の平面鏡４に対面した場合は右側の平面鏡４に「全身の右側面像」が、左側の平面鏡３に対面した場合は左側の平面鏡３に「全身の左側面像」が得られる。
【産業上の利用可能性】
【００１３】
本考案の人物用多面鏡は家庭用のほか、ブライダル・ファションショップ、デパート・客船・航空機内、美容院、芸能人楽屋、レストラン・オフィスの化粧室等において広く用いられることが予測されるので、設備の製作と販売で産業の活性化に貢献するものと思われる。
【図面の簡単な説明】
【００１４】
【図１】本考案の実施例により床上に支持してある初期状態の三面鏡とその支持状態を正面から見た概略図
【図２】本考案の実施例により床上に支持してある初期状態の三面鏡とその支持状態を横から見た概略図
【符号の説明】
【００１５】
１  床上に起立の平面鏡
２  三面鏡における中央の平面鏡
３、４  三面鏡における左右両側の平面鏡
５  基盤
６  三面鏡の位置・姿勢制御具収納部
【図１】
0003146443.tif 000003
【図２】
0003146443.tif 000004
【手続補正書】
【提出日】平成20年9月12日(2008.9.12)
【手続補正１】
【補正対象書類名】明細書
【補正対象項目名】０００６
【補正方法】変更
【補正の内容】
【０００６】
本考案の人物用多面鏡を使用する場合、使用者は床上に起立の平面鏡１および移動可能な三面鏡のいずれかに対面して、平面鏡１と三面鏡との間の床上に起立し又は椅子に腰を掛け、最初か途中で三面鏡内の接続角度を所定範囲内で適宜に設定してから、身長に合わせて三面鏡の上下位置を調節し、さらに、三面鏡の好適な角度を選択して三面鏡を所定範囲内で前傾させると全身の所望箇所の映像が得られるので、美容や着衣の工夫がしやすく、本考案の人物用多面鏡の使用が楽しくなる。また、三面鏡の室内での支持位置を予め選択できるので、室内空間の利用が有効にできる。